(57)【要約】      （修正有）【課題】スマートフォンに着用するだけで、野外撮影において録音される風切音を抑制できるスマートフォン用保護カバーを提供する。【解決手段】スマートフォン用保護カバー１は、スマートフォン３のマイク孔３ｃに対応した貫通孔１０ａが形成されたカバー本体１０と、貫通孔１０ａを所定幅のフェイクファーテープ１２によって隠蔽するように構成されたウインドジャマー部１１とを備えている。【選択図】図１
0003216117.tif 000002
【実用新案登録請求の範囲】
【請求項１】
スマートフォンのマイク孔に対応した貫通孔が形成されたカバー本体と、前記貫通孔を所定幅のフェイクファーテープによって隠蔽するように構成されたウインドジャマー部とを備えていることを特徴とするウインドジャマーを備えたスマートフォン用保護カバー。
【請求項２】
前記ウインドジャマー部は、前記カバー本体に着脱自在に装着されるアタッチメント基台と、このアタッチメント基台に固着されたフェイクファーテープとを備えていることを特徴とする請求項１に記載のウインドジャマーを備えたスマートフォン用保護カバー。
【請求項３】
前記ウインドジャマー部は、基布の裏面側に前記カバー本体に粘着するための粘着面が形成されたシール式フェイクファーテープからなることを特徴とする請求項１に記載のウインドジャマーを備えたスマートフォン用保護カバー。
【考案の詳細な説明】
【技術分野】
【０００１】
本考案は、スマートフォン用保護カバーに関する。
【背景技術】
【０００２】
次の特許文献１には、いわゆる流体騒音に対して、糸、紐、チューブのような柔毛素材は、渦を整流し圧力変動を抑制することによって騒音低減効果を奏することが記載されている。
またフェイクファーを袋状に加工したガンマイク用のウインドジャマー等も広く市販されており、これも柔毛素材の流体騒音低減効果を利用していると考えられる。
【先行技術文献】
【特許文献】
【０００３】
【特許文献１】特開2006-300375号公報
【考案の概要】
【考案が解決しようとする課題】
【０００４】
ところで近時のスマートフォンは、動画撮影機能を有しているが、野外撮影の場合には大きな風切音が録音されてしまうという問題があった。本考案はこの問題に着目してなされたものであり、スマートフォンに着用するだけで、そのような風切音を抑制できるウインドジャマーを備えたスマートフォン用保護カバーを提供することを目的としている。
【課題を解決するための手段】
【０００５】
本考案によるウインドジャマーを備えたスマートフォン用保護カバーは、スマートフォンのマイク孔に対応した貫通孔が形成されたカバー本体と、所定幅のフェイクファーテープによって前記貫通孔を隠蔽するように構成されたウインドジャマー部とを備えていることを特徴とする。
【考案の効果】
【０００６】
本考案によるウインドジャマーを備えたスマートフォン用保護カバーは、スマートフォンに着用するだけで、野外撮影において録音される風切音を抑制できる。
【図面の簡単な説明】
【０００７】
【図１】（ａ）、（ｂ）はそれぞれ本考案の実施形態の分解斜視図、ウインドジャマー部の分解斜視図である。
【図２】（ａ）は、フェイクファーテープの一例の概略断面図、（ｂ）はフェイクファーテープの他例の概略断面図である。
【図３】（ａ）、（ｂ）は、それぞれ本考案の他の実施形態の斜視図、分解斜視図である。
【考案を実施するための形態】
【０００８】
図１（ａ）、（ｂ）はそれぞれ本考案の実施形態の分解斜視図、ウインドジャマー部の分解斜視図である。
スマートフォン３は、概ね平板形状であって、その正面にタッチパネル３ａが配され、右側面にパワーボタン３ｂが配され、下側面にマイク孔３ｃとＵＳＢ充電端子３ｄが配されている。
スマートフォン用保護カバー１は、樹脂あるいは金属からなり正面が開放された薄箱形状のカバー本体１０と、スマートフォン３のマイク孔３ｃに対応してカバー本体１０に形成された貫通孔１０ａを所定幅のフェイクファーテープ１２によって隠蔽するように構成されたウインドジャマー部１１とを備えている。
【０００９】
カバー本体１０は、貫通孔１０ａ以外に、ＵＳＢ接続孔１０ｂ、パワーボタン操作凸部１０ｃ、カメラ孔１０ｄ等が形成されている。よってスマートフォン３に保護カバー１を装着したときでも、スマートフォン３のパワーボタン３ｂ、ＵＳＢ充電端子３ｄ、カメラ等を不自由なく利用できる。
【００１０】
ウインドジャマー部１１は、カバー本体１０に着脱自在に装着されるアタッチメント基台１１ａと、このアタッチメント基台１１ａに固着されたフェイクファーテープ１２とを備えている。アタッチメント基台１１ａとフェイクファーテープ１２とで構成されたウインドジャマー部１１は、保護カバー用アタッチメントを構成する。
アタッチメント基台１１ａは、カバー本体１０の下側面に沿う主面１１ｂと、この主面の両端からカバー本体１０の左右側面に沿うように延出された保持面１１ｃとで構成されており、主面１１ｂにはスマートフォン３のマイク孔３ｃに対応して貫通孔１１ｄが形成されている。そして保持面１１ｃには、カバー本体１０に形成された凹所１０ｅに嵌合する凸部１１ｅが形成されており、これらの凹所１０ｅ、凸部１１ｅによってカバー本体１０とアタッチメントとの結合手段が構成されている。なお結合手段の構成はこれに限定されず、どのような方法、例えばフリクションによるものであってもよい。
フェイクファーテープ１２は、フェイクファー生地を所定幅に裁断したもので、その基布１２ａの裏面には粘着面１２ｃが形成されており、その粘着面１２ｃによってアタッチメント基台１１ａの主面１１ｂに固着されている。カバー本体１０にアタッチメントを装着した場合、フェイクファーテープ１２はカバー本体１０の貫通孔１０ａを完全に隠蔽した状態となる。よって貫通孔１０ａの近傍で生じる風の渦や乱流がフェイクファーテープ１２の起毛によって整流され圧力変動も抑えられるので、スマートフォン３のマイク孔３ｃに対して風切音の抑制効果が得られる。
【００１１】
図２（ａ）は、フェイクファーテープの一例の概略断面図、（ｂ）はフェイクファーテープの他例の概略断面図である。
フェイクファーテープ１２の元となっているフェイクファーは、アクリル等の合成繊維からなる織物又は編物の一種であって、基布１２ａの組織はパイル織やパイル編になっており、その基布１２ａの表面側から引出したループパイルを切り開き起毛１２ｂとして毛皮のようにしたものである。
粘着面１２ｃは、図２（ａ）に示すように、基布１２ａの裏面側と粘着性を有する樹脂層（接着剤）１２ｄとが直接的に一体化されていてもよい。この場合、粘着面１２ｃは、基布１２ａの裏面側に粘着剤を塗布する等で形成できる。
あるいは図２（ｂ）に示すように、基布１２ａの裏面側と粘着性を有する樹脂層１２ｄとがベースフィルム１２ｅを介して一体かされていてもよい。この場合、粘着面１２ｃは、予め樹脂層１２ｄが形成されたベースフィルム１２ｅを基布１２ａの裏面側に一体化させるようにしてもよい。あるいは樹脂層１２ｄが形成されていないベースフィルム１２ｅを基布１２ａの裏面側に一体化させたあとそのベースフィルム１２ｅに樹脂層１２ｄを形成するようにしてもよい。
なお図２（ａ）、（ｂ）のいずれの場合でも、粘着面１２ｃは多数の微少な通音孔１２ｆが配列された状態となるにようにして、ウインドジャマー１が音響機器のマイク孔３ｃを完全に塞ぐことを防止するとよい。あるいはマイク孔に対応する部分には粘着面１２ｃを形成しないようしてもよい。
【００１２】
図３（ａ）、（ｂ）は、それぞれ本考案の他の実施形態の斜視図、分解斜視図である。なお図３（ｂ）では、フェイクファーテープの基布１２ａを透視した状態で示している。
【００１３】
スマートフォン３は、図１（ａ）に示したものと同様である。
スマートフォン用保護カバー１は、樹脂あるいは金属からなり正面が開放された薄箱形状のカバー本体１０と、スマートフォン３のマイク孔３ｃに対応してカバー本体１０に形成された貫通孔１０ａを所定幅のフェイクファーテープ１２によって隠蔽するように構成されたウインドジャマー部１１とを備えている。
【００１４】
カバー本体１０は、貫通孔１０ａ以外に、ＵＳＢ接続孔１０ｂ、パワーボタン操作凸部１０ｃ、カメラ孔１０ｄ等が形成されている。よってスマートフォン３に保護カバー１を装着したときでも、スマートフォン３のＵＳＢ充電端子３ｄ、パワーボタン、カメラ等を不自由なく利用できる。
ウインドジャマー部１１は、基布１２ａの裏面側にカバー本体１０に粘着するための粘着面が形成されたシール式のフェイクファーテープ１２からなり、その粘着面によってカバー本体１０に固着されている。フェイクファーテープ１２としては、図２（ａ）、（ｂ）に示したものを利用できる。
保護カバー１をこのような構成とすれば、前記と同様にスマートフォン３のマイク孔３ｃに対して風切音の抑制効果が得られるとともに、保護カバー１のコストも抑えられる。
【００１５】
なおフェイクファーテープ１２は、図３（ｃ）に示すように、カバー本体１０のＵＳＢ接続孔１０ｂに対応する部分１２ｈを除去しておけば、スマートフォン３に保護カバー１を装着した状態であっても、スマートフォン３にＵＳＢ充電ケーブルを接続できる。
【符号の説明】
【００１６】
１        スマートフォン用保護カバー
１０      カバー本体
１０ａ    貫通孔
１１      ウインドジャマー部
１１ａ    アタッチメント基台
１２      フェイクファーテープ
１２ｃ    粘着面
３        スマートフォン
３ｃ      マイク孔
【図１】
0003216117.tif 000003
【図２】
0003216117.tif 000004
【図３】
0003216117.tif 000005